(57)【要約】【課題】  操作禁止の設定および解除の際に、キーに表示された数字などの文字を確認しながら暗証コードの入力を行わなくとも操作禁止の設定および解除を行うことのできる携帯端末を提供する。【解決手段】  操作部３とは別に配設された入力部５と、この入力部５の操作により入力されたコードを暗証コードとして記憶する暗証コード記憶部７と、入力部５および暗証コード記憶部７とそれぞれ接続され入力部５によりあらかじめ暗証コード記憶部７に記憶された暗証コードを入力することにより操作禁止の設定および解除を行う制御部６とを有する。【選択図】      図１
2006140727.tif 000002
【特許請求の範囲】
【請求項１】
表示部と複数の入力キーからなる操作部とが配設された携帯端末であって、
前記操作部とは別に配設された入力部と、この入力部の操作により入力されたコードを暗証コードとして記憶する暗証コード記憶部と、前記入力部および暗証コード記憶部とそれぞれ接続され前記入力部によりあらかじめ前記暗証コード記憶部に記憶された暗証コードを入力することにより操作禁止の設定および解除を行う制御部とを有することを特徴とする携帯端末。
【請求項２】
表示部が配設された第１の筐体と、複数の入力キーからなる操作部が配設された第２の筐体とを有し、前記両筐体が、前記表示部および前記操作部が内側に収納されるように折畳み可能に相互に連結された携帯端末であって、
前記両筐体を折畳んだ際に、これらの両筐体のうち少なくとも一方の筐体の外面に前記操作部とは別に配設された入力部と、この入力部の操作により入力されたコードを暗証コードとして記憶する暗証コード記憶部と、前記入力部によりあらかじめ前記暗証コード記憶部に記憶された暗証コードを入力することにより操作禁止の設定および解除を行う制御部とを有することを特徴とする携帯端末。
【請求項３】
暗証コードを設定するための複数の前記入力部が設けられていることを特徴とする請求項１または請求項２に記載の携帯端末。
【発明の詳細な説明】
【技術分野】
【０００１】
本発明は携帯端末に係り、特に、キーに表示された数字などの文字を確認しながらキー入力を行うことなく操作禁止の設定および解除を行うことのできる携帯端末に関する。
【背景技術】
【０００２】
従来から、ＰＤＡ、ノート型パソコンあるいは携帯電話などの携帯端末において、誤操作や所有者以外の第三者による不正使用の防止、あるいは個人情報の保護などのため、キー操作により暗証コードを入力して携帯端末の操作禁止の設定および解除を行っていた。
【０００３】
ところで、近年、これらの携帯端末においては筐体が折畳み式のものが一般的になっており、操作禁止の設定および解除の暗証コードの入力の際に折り畳まれた筐体を開く必要があった。
【０００４】
なお、折畳み状態にある筐体の特殊な開閉動作のみで操作禁止状態を解除することが可能な携帯電話もあるが、この携帯電話は使用する際に筐体を開くことを前提としたものであった（例えば、特許文献１参照）。
【０００５】
【特許文献１】特開２００３−６０７８２号公報
【発明の開示】
【発明が解決しようとする課題】
【０００６】
一般に、暗証コードは複数個の数字などの文字の組み合わせにより構成されており、携帯端末において操作禁止の設定および解除を行う場合にはキーに表示された文字を確認しながら暗証コードの入力を行わなければならず、操作が煩雑であった。
【０００７】
また、近年、折畳み式の携帯端末においては、筐体を折畳んだ状態で各種操作が可能なものがあるものの、操作禁止の設定および解除を行うには、携帯端末を開いてキーを操作する必要があった。
【０００８】
そこで、本発明は、操作禁止の設定および解除の際に、キーに表示された数字などの文字を確認しながら暗証コードの入力を行わなくとも操作禁止の設定および解除を行うことのできる携帯端末を提供することを目的とするものである。
【課題を解決するための手段】
【０００９】
前述した目的を達成するため本発明に係る携帯端末の特徴は、表示部と複数の入力キーからなる操作部とが配設された携帯端末であって、前記操作部とは別に配設された入力部と、この入力部の操作により入力されたコードを暗証コードとして記憶する暗証コード記憶部と、前記入力部および暗証コード記憶部とそれぞれ接続され前記入力部によりあらかじめ前記暗証コード記憶部に記憶された暗証コードを入力することにより操作禁止の設定および解除を行う制御部とを有する点にある。
【００１０】
そして、このような構成を採用したことにより、操作部とは別の入力部を操作して、携帯端末の操作禁止の設定および解除を行う際の暗証コードの設定をあらかじめ行ない、設定された暗証コードを入力部を操作して入力することにより、従来のように各キーに表示された文字を確認しながら操作しなくとも、携帯端末の操作禁止の設定および解除を行うことができる。
【００１１】
また、本発明に係る携帯端末の他の特徴は、表示部が配設された第１の筐体と、複数の入力キーからなる操作部が配設された第２の筐体とを有し、前記両筐体が、前記表示部および前記操作部が内側に収納されるように折畳み可能に相互に連結された携帯端末であって、前記両筐体を折畳んだ際に、これらの両筐体のうち少なくとも一方の筐体の外面に前記操作部とは別に配設された入力部と、この入力部の操作により入力されたコードを暗証コードとして記憶する暗証コード記憶部と、前記入力部によりあらかじめ前記暗証コード記憶部に記憶された暗証コードを入力することにより操作禁止の設定および解除を行う制御部とを有する点にある。
【００１２】
そして、このような構成を採用したことにより、筐体が折畳み状態にある携帯端末において、外部に露出している外面に配設されている入力部を操作して、携帯端末の操作禁止の設定および解除を行う際の暗証コードの設定をあらかじめ行ない、設定された暗証コードを入力部を操作して入力することにより、筐体が折り畳み状態のままで携帯端末の操作禁止の設定および解除を行うことができる。
【００１３】
さらに、本発明に係る携帯端末の他の特徴は、暗証コードを設定するための複数の前記入力部が設けられている点にある。
【００１４】
そして、このような構成を採用したことにより、複数の入力部を操作することで複雑な暗証コードを設定することができる。
【発明の効果】
【００１５】
本発明の携帯端末によれば、操作禁止の設定および解除を行う際に、キーに表示された数字等の文字を確認しなくとも、入力部の操作を行うことにより暗証コードの入力を行うことができる。このため、折畳み式の携帯端末において、両筐体を折畳んで入力キーが内側に収納された場合においても、両筐体を開くことなく容易に操作禁止の設定および解除を行うことができる。
【００１６】
また、暗証コードを設定するための複数の入力部を設けることにより、複数の入力部を操作して複雑な暗証コードを設定することができ、第３者による不正使用をさらに確実に防止することができる。
【発明を実施するための最良の形態】
【００１７】
図１は本発明に係る携帯端末の第１実施形態を示す携帯電話の概略斜視図、図２は図１の携帯電話の内部構成を示すブロック図である。
【００１８】
本第１実施形態の携帯端末は折畳み機構のないいわゆるストレートタイプの携帯電話１であり、この携帯電話１の筐体２の表面２ａには、図１に示すように、種々の情報を表示しうる液晶表示素子からなる表示部３と、複数の押しボタン式の入力キー４ａ，４ａ…からなる操作部４とが配設されている。
【００１９】
また、前記筐体２の前記表示部３および前記操作部４の配設された表面２ａと隣接する側面２ｂには、前記操作部４とは別のスイッチからなる入力部５が配設されている。
【００２０】
前記携帯電話１は、図２に示すように、各機能の制御を行う制御部としてのＣＰＵ６と、前記携帯電話１の操作禁止の設定および解除の際の暗証コードを記憶する暗証コード記憶部７とを有している。また、前記ＣＰＵ６は、前記表示部３、操作部４および入力部５とそれぞれ接続されている。
【００２１】
本第１実施形態において前記入力部５は、前記筐体２の側面２ｂに形成された円弧状の膨出部２ｃ内に一部が配設されている円盤状をなす入力本体５ａを有している。この入力本体５ａは、前記膨出部２ｃに形成されているほぼコ字状の切欠き２ｄを介して一部外部に露出されており、この外部に露出されている部位の前記入力本体５ａには、放射方向に突出し、指による回動操作を容易にするための突起５ｂが突設されている。
【００２２】
前記入力本体５ａは、前記突起５ｂに指をかけて入力本体５ａを回動させると、前記突起５ｂが前記切欠き２ｄの縁部２ｅに当接するまで時計方向および反時計方向にそれぞれ回動しうるように形成されているとともに、前記突起５ｂに指をかけて押動することにより前記筐体２内に押し込まれるように形成されている。なお、前記入力本体５ａは、図示しないばねにより自由状態において前記突起５ｂが前記切欠き２ｄの上下方向の中間位置に位置するとともに、前記切欠き２ｄから最大限突出するように形成されている。
【００２３】
そして、前記入力本体５ａを回動あるいは押動することにより、電話帳検索、機能選択など前記携帯電話１の各種操作の一部を行うことができるようになっている。
【００２４】
さらに、前記入力部５により前記携帯電話１の操作禁止の設定および解除ができるようになっている。すなわち、操作禁止のための暗証コードを設定するには、あらかじめ前記操作部４における特定の入力キー４を押して暗証コード設定モードを形成したうえで、前記入力部５の入力本体５ａの少なくとも一方向の回動（便宜上「上回動」、「下回動」と略称する）および／または押動を複数回組合せた操作を行う。それぞれの操作を行うと、この入力部５から各操作に対応した個別の信号がＣＰＵ６に出力されることになる。そして、暗証コードの入力が終了したら、再度前記操作部４における特定の入力キー４を押して暗証コードの入力が完了した旨の信号を入力する。すると、設定された暗証コードは、ＣＰＵ６を介して暗証コード記憶部７に登録されることになる。
【００２５】
そして、最初と最後に前記操作部４の特定の入力キー４を押すとともに、その間に前記暗証コード記憶部７に登録されている暗証コードを前記入力部５の操作を行って入力することにより、前記ＣＰＵ６において前記暗証コード記憶部７に登録された暗証コードとの比較を行って暗証コードと認証されることにより前記携帯電話１の操作禁止の設定あるいは解除が行われる。
【００２６】
ここで、前記入力部５による暗証コードの入力方法の一例について説明すると、あらかじめ前記操作部４における特定の入力キー４を押して暗証コード設定モードを形成する。そして、たとえば、「押動」、「上回動」、「上回動」、「下回動」、「上回動」、「押動」といった順で入力部５の入力本体５ａの操作を行ない、この操作に対応した各信号が入力部５から出力され、暗証コードの入力が終了したら、再度前記操作部４における特定の入力キー４を押して暗証コードの入力が完了した旨の信号を入力する。すると、ＣＰＵ６を介して前記暗証コード記憶部７に暗証コードの登録が行われる。なお、特定の入力キー４に代えて前記入力本体５ａを連続して数回押動するなどの特殊な動作をすることにより暗証コード設定モード、操作禁止の設定モードあるいは操作禁止の解除モードを設定するようにしてもよい。
【００２７】
そして、前記入力部５による前記携帯電話１の操作禁止の設定を行う場合には、前記携帯電話１の操作有効時に、操作部４における特定の入力キー４を押して操作禁止設定モードを形成する。そして、設定された暗証コードと同様の「押動」、「上回動」、「上回動」、「下回動」、「上回動」、「押動」の順で入力部５の入力本体５ａの操作を行ない、最後に前記操作部４の特定の入力キー４を押して操作禁止設定のための暗証コードの入力が完了した旨の信号を入力する。これにより操作禁止の設定が行われ、暗証コードを入力しない限り携帯電話１を使用できないことになる。
【００２８】
また、前記入力部５による前記携帯電話１の操作禁止の解除を行う場合には、前記携帯電話１の操作禁止時に、操作部４の特定の入力キー４を押して操作禁止解除モードを形成する。そして、設定された暗証コードと同様の「押動」、「上回動」、「上回動」、「下回動」、「上回動」、「押動」の順で入力部５の入力本体５ａの操作を行ない、最後に前記操作部４の特定の入力キー４を押して操作禁止解除のための暗証コードの入力が完了した旨の信号を入力する。これにより操作禁止の解除が行われ、暗証コードを入力しなくとも携帯電話１を使用できることになる。
【００２９】
なお、前記携帯電話１の操作禁止の設定または解除を行う際に、前記入力部５の操作により暗証コードと異なるコードが入力された場合には、前記ＣＰＵ６において暗証コードが認証されず、操作禁止の設定または解除ができないように制御されるようになっている。
【００３０】
前述した第１実施形態の携帯電話１によれば、押動および両方向への回動を可能とされたスイッチからなる入力本体５ａを操作して暗証コードを入力することができるため、操作部４の入力キー４ａに表示された数字などの文字を確認しながら暗証コードの入力を行わなくとも暗証コードの設定ならびに操作禁止の設定および解除を簡単に行うことができる。
【００３１】
つぎに、本発明に係る携帯端末を図３および図４に示す第２実施形態について説明する。
【００３２】
図３は本発明に係る携帯端末の第２実施形態を示す携帯電話の概略斜視図、図４は図３の携帯電話の内部構成を示すブロック図である。
【００３３】
本第２実施形態の携帯端末は折畳み機構を有する携帯電話１１であり、図３に示すように、内表面１２ａに種々の情報を表示しうる液晶表示素子からなる表示部１３が配設された第１の筐体１２と、内表面１４ａに複数の押しボタン式の入力キー１５ａ、１５ａ…からなる操作部１５が配設された第２の筐体１４とが枢軸１６を介して折畳み可能に連結されている。
【００３４】
本第２実施形態においては、前記第２の筐体１４の前記操作部１５が配設された内表面１４ａと隣接する側面１４ｂには、前記操作部１５とは別のスイッチからなる入力部１７が配設されている。
【００３５】
なお、前記表示部１３および前記操作部１５は、前記両筐体１２，１４を折畳んだ際に内側に位置し、それぞれ外部に露出しないようになっている。
【００３６】
前記携帯電話１１には、図４に示すように、各機能の制御を行う制御部としてのＣＰＵ１８と、前記携帯電話１１の操作禁止の設定および解除の際の暗証コードを記憶する暗唱コード記憶部１９とを有している。また、前記ＣＰＵ１８は、前記表示部１３、操作部１５および入力部１７とそれぞれ接続されている。
【００３７】
本第２実施形態において前記入力部１７は、前記第２の筐体１４の側面１４ｂに形成された円弧状の膨出部１４ｃ内に一部が配設されている円盤状をなす入力本体１７ａを有している。この入力本体１７ａは、前記膨出部１４ｃに形成されているほぼコ字状の切欠き１４ｄを介して一部外部に露出されており、この外部に露出されている部位の前記入力本体１７ａには、放射方向に突出し、指による回動操作を容易にするための複数の突起１７ｂ、１７ｂ…が間隔を隔てて連設されている。
【００３８】
前記入力本体１７ａは、前記各突起１７ｂに指をかけて入力本体１７ａを回動させると、時計方向および反時計方向にそれぞれ自由に回動しうるように形成されており、いずれの方向への１回転ごとに図示しない機構によりクリック音あるいはクリック感が生じるようになっている。また、前記入力本体１７ａは、前記突起１７ｂに指をかけて押動することにより前記第２の筐体１４内に押し込まれるように形成されている。なお、前記入力本体１７ａは、図示しないばねにより自由状態において前記切欠き１４ｄから最大限突出するように形成されている。
【００３９】
そして、前記入力部１７の入力本体１７ａを回動あるいは押動することにより、電話帳検索、機能選択など前記携帯電話１１の各種操作の一部を行うことができるようになっている。この操作の表示は、前記第１の筐体１２の外表面（図示せず）に形成されている副表示部に表示されるようになっている。
【００４０】
さらに、前記入力部５により前記携帯電話１１の操作禁止の設定および解除ができるようになっている。このため、前記両筐体１２，１４を折畳み状態にしたときに外部に露出しているいずれかの筐体１２または１４の外表面（図示せず）には、暗証コードを設定したり、携帯電話１１の操作禁止の設定および解除を行うときにそれぞれのモードを設定するための図示しない押しボタンが配設されており、この押しボタンは前記ＣＰＵ１８と接続されている。なお、この押しボタンに代えて前記入力本体１７ａを連続して数回押動するなどの特殊な動作をすることにより暗証コード設定モード、操作禁止の設定モードあるいは操作禁止の解除モードを設定するようにしてもよい。
【００４１】
そして、操作禁止のための暗証コードを設定するには、前記両筐体１２，１４を折畳み状態にしたときに外部に露出しているいずれかの筐体１２または１４の両筐体１２，１４を折畳み状態にしたときに外部に露出している外表面（図示せず）に形成されている押しボタン（図示せず）を押して暗証コード設定モードを形成したうえで、前記入力部１７の入力本体１７ａの少なくとも一方向における３６０度を１単位とする回転（便宜上「上回転」、「下回転」と略称する）および／または押動を複数回組合せた操作を行う。それぞれの操作を行うと、この入力部１７から各操作に対応した個別の信号がＣＰＵ１８に出力されることになる。そして、暗証コードの入力が終了したら、再度前記外表面に配設されている押しボタンを押して暗証コードの入力が完了した旨の信号を入力する。すると、設定された暗証コードは、ＣＰＵ１８を介して暗証コード記憶部１９に登録されることになる。
【００４２】
そして、最初と最後に前記操作部１５の特定の入力キー１５ａを押すとともに、その間に前記暗証コード記憶部１９に登録されている暗証コードを前記入力部１７の操作を行って入力することにより、前記ＣＰＵ１８において前記暗証コード記憶部１９に登録された暗証コードとの比較を行って暗証コードと認証されることにより前記携帯電話１１の操作禁止の設定あるいは解除が行われる。
【００４３】
なお、前記携帯電話１１の操作禁止の設定または解除を行う際に、前記入力部１７の操作により暗証コードと異なるコードが入力された場合には、前記ＣＰＵ１８において暗証コードが認証されず、操作禁止の設定または解除ができないように制御されるようになっている。
【００４４】
前述した第２実施形態の携帯電話１１によれば、入力部１７の入力本体１７ａを操作すると、クリック音あるいはクリック感が生じるので、クリック音あるいは指先の感触から入力される暗証コードを確認することができるため、確実に暗証コードを入力することができる。また、入力部１７が第２の筐体１４の側面１４ｂに配設されているため、携帯電話１１の両筐体１２，１４を折畳んだ状態においても入力部１７が外部に露出しており、携帯電話１１を折畳んだ状態においても暗証コードの設定、携帯電話１１の操作禁止の設定および解除を行うことができる。
【００４５】
つぎに、本発明に係る携帯端末を図５および図６に示す第３実施形態により説明する。
【００４６】
図５は本発明に係る携帯端末の第３実施形態を示す携帯電話の概略斜視図、図６は図５の携帯電話の内部構成を示すブロック図である。
【００４７】
本第３実施形態の携帯端末は折畳み機構を有する携帯電話２１であり、図５に示すように、内表面２２ａに種々の情報を表示しうる液晶表示素子からなる表示部２３が配設された第１の筐体２２と、内表面２４ａに複数の押しボタン式の入力キー２５ａ、２５ａ…からなる操作部２５が配設された第２の筐体２４とが枢軸２６を介して折畳み可能に連結されている。
【００４８】
本第３実施形態においては、前記第２の筐体２４の前記操作部２５が配設された内表面２４ａと隣接する側面２４ｂには、前記操作部２５とは別のそれぞれ押しボタン式の入力キーからなる１対の入力部２７Ａ，２７Ｂが配設されている。  なお、前記表示部２３および前記操作部２５は、前記両筐体２２，２４を折畳んだ際に内側に位置し、それぞれ外部に露出しないようになっている。
【００４９】
前記携帯電話２１には、図６に示すように、各機能の制御を行う制御部としてのＣＰＵ２８と、前記携帯電話２１の操作禁止の設定および解除の際の暗証コードを記憶する暗唱コード記憶部２９とを有している。また、前記ＣＰＵ２８は、前記表示部２３、操作部２５および各入力部２７Ａ，２７Ｂとそれぞれ接続されている。
【００５０】
本第３実施形態において前記各入力部２７Ａ，２７Ｂは、前述したようにそれぞれ押しボタン式の入力キーとされており、１回押されるごとに信号を前記ＣＰＵ２８に出力するようになっている。また、このうち一方の入力部２７Ａは、暗証コードを設定したり、携帯電話２１の操作禁止の設定および解除を行うときにそれぞれのモードを設定するための設定スイッチを兼ねている。このため、入力部２７Ａを長押しすると、モードの設定信号や入力完了信号をＣＰＵ２８に出力し、入力部２７Ａを短く押すと、暗証コード自体の信号をＣＰＵ２８に出力することになる。
【００５１】
さらに、前記各入力部２７Ａ，２７Ｂを特殊な態様で押すことにより、電話帳検索、機能選択など前記携帯電話２１の各種操作の一部を行うことができるようになっている。この操作の表示は、前記第１の筐体２２の外表面（図示せず）に形成されている副表示部に表示されるようになっている。
【００５２】
そして、操作禁止のための暗証コードを設定するには、前記入力部２７Ａを長押しして暗証コード設定モードに設定したうえで、各入力部２７Ａ，２７Ｂを少なくとも１回ずつ交互に数回短く押し、最後に入力部２７Ａを長押しして、暗証コードの入力が完了した旨の信号を入力する。すると、設定された暗証コードは、ＣＰＵ２８を介して暗証コード記憶部２９に登録されることになる。
【００５３】
そこで、最初と最後に前記入力部２７Ａを長押しするとともに、その間に前記暗証コード記憶部７に登録されている暗証コードを前記両入力部２７Ａ，２７Ｂの操作を行って入力することにより、前記ＣＰＵ２８において前記暗証コード記憶部２９に登録された暗証コードとの比較を行って暗証コードと認証されることにより前記携帯電話２１の操作禁止の設定あるいは解除が行われる。
【００５４】
なお、前記携帯電話２１の操作禁止の設定または解除を行う際に、前記両入力部２７Ａ，２７Ｂの操作により暗証コードと異なるコードが入力された場合には、前記ＣＰＵ２８において暗証コードが認証されず、操作禁止の設定または解除ができないように制御されるようになっている。
【００５５】
前述した第３実施形態の携帯電話２１によれば、２つの入力部２７Ａ，２７Ｂを操作して複雑な暗証コードを設定することができる。また、両入力部２７Ａ，２７Ｂが第２の筐体２４の側面２４ｂに配設されているため、携帯電話２１の両筐体２２，２４を折畳んだ状態においても両入力部２７Ａ，２７Ｂが外部に露出しており、携帯電話２１を折畳んだ状態においても暗証コードの設定、携帯電話２１の操作禁止の設定および解除を行うことができる。
【００５６】
つぎに、本発明に係る携帯端末を図７および図８に示す第４実施形態により説明する。
【００５７】
図７は本発明に係る携帯端末の第４実施形態を示す携帯電話の概略斜視図、図８は図７の携帯電話の内部構成を示すブロック図である。
【００５８】
本第４実施形態の携帯端末は折畳み機構を有する携帯電話３１であり、図７に示すように、内表面３２ａに種々の情報を表示しうる液晶表示素子からなる表示部３３が配設された第１の筐体３２と、内表面３４ａに複数の押しボタン式の入力キー３５ａ、３５ａ…からなる操作部３５が配設された第２の筐体３４とが枢軸３６を介して折畳み可能に連結されている。
【００５９】
本第４実施形態においては、前記第２の筐体３４の前記操作部３５が配設された内表面３４ａと隣接する側面３４ｂには、前記操作部３５とは別の１対の入力部３７Ａ，３７Ｂが配設されている。
【００６０】
このうち、前記入力部３７Ａは、中立位置から左右両方向にそれぞれ摺動しうるスライドスイッチ３７ａにより構成されており、スライドスイッチ３７ａを左右両端部に位置させると、その位置に応じた信号を後述するＣＰＵ３８に出力するようになっている。なお、前記スライドスイッチ３７ａは、図示しないばねにより自由状態においては前記中立位置に位置するようになっている。
【００６１】
また、前記入力部３７Ｂは、押しボタン式の入力キーとされており、１回押されるごとに信号を後述するＣＰＵ３８に出力するようになっている。
【００６２】
なお、前記表示部３３および前記操作部３５は、前記両筐体３２，３４を折畳んだ際に内側に位置し、それぞれ外部に露出しないようになっている。
【００６３】
前記携帯電話３１には、図８に示すように、各機能の制御を行う制御部としてのＣＰＵ３８と、前記携帯電話３１の操作禁止の設定および解除の際の暗証コードを記憶する暗唱コード記憶部３９とを有している。また、前記ＣＰＵ３８は、前記表示部３３、操作部３５および各入力部３７Ａ，３７Ｂとそれぞれ接続されている。
【００６４】
また、前記入力部３７Ｂは、暗証コードを設定したり、携帯電話３１の操作禁止の設定および解除を行うときにそれぞれのモードを設定するための設定スイッチを兼ねている。このため、入力部３７Ｂを長押しすると、モードの設定信号や入力完了信号をＣＰＵ３８に出力し、入力部３７Ｂを短く押すと、暗証コード自体の信号をＣＰＵ３８に出力することになる。
【００６５】
さらに、前記各入力部３７Ａ，３７Ｂを特殊な態様で押すことにより、電話帳検索、機能選択など前記携帯電話３１の各種操作の一部を行うことができるようになっている。この操作の表示は、前記第１の筐体３２の外表面（図示せず）に形成されている副表示部に表示されるようになっている。
【００６６】
そして、操作禁止のための暗証コードを設定するには、前記入力部３７Ｂを長押しして暗証コード設定モードに設定したうえで、入力部３７Ａのスライドスイッチ３７ａの少なくとも一方向への移動と入力部３７Ｂの押動とを適当な順序で行ない、最後に入力部３７Ｂを長押しして、暗証コードの入力が完了した旨の信号を入力する。すると、設定された暗証コードは、ＣＰＵ３８を介して暗証コード記憶部３９に登録されることになる。
【００６７】
そこで、最初と最後に前記入力部３７Ｂを長押しするとともに、その間に前記暗証コード記憶部３９に登録されている暗証コードを前記両入力部３７Ａ，３７Ｂの操作を行って入力することにより、前記ＣＰＵ３８において前記暗証コード記憶部３９に登録された暗証コードとの比較を行って暗証コードと認証されることにより前記携帯電話３１の操作禁止の設定あるいは解除が行われる。
【００６８】
なお、前記携帯電話３１の操作禁止の設定または解除を行う際に、前記両入力部３７Ａ，３７Ｂの操作により暗証コードと異なるコードが入力された場合には、前記ＣＰＵ３８において暗証コードが認証されず、操作禁止の設定または解除ができないように制御されるようになっている。
【００６９】
前述した第４実施形態の携帯電話３１によれば、２つの入力部３７Ａ，３７Ｂを操作して複雑な暗証コードを設定することができる。また、両入力部３７Ａ，３７Ｂが第２の筐体３４の側面３４ｂに配設されているため、携帯電話３１の両筐体３２，３４を折畳んだ状態においても両入力部３７Ａ，３７Ｂが外部に露出しており、携帯電話３１を折畳んだ状態においても暗証コードの設定、携帯電話３１の操作禁止の設定および解除を行うことができる。
【００７０】
なお、本発明は、前述した実施の形態に限定されるものではなく、必要に応じて種々の変更が可能である。
【図面の簡単な説明】
【００７１】
【図１】本発明に係る携帯端末の第１実施形態を示す携帯電話の概略斜視図
【図２】図１の携帯電話の内部構成を示すブロック図
【図３】本発明に係る携帯端末の第２実施形態を示す携帯電話の概略斜視図
【図４】図３の携帯電話の内部構成を示すブロック図
【図５】本発明に係る携帯端末の第３実施形態を示す携帯電話の概略斜視図
【図６】図５の携帯電話の内部構成を示すブロック図
【図７】本発明に係る携帯端末の第４実施形態を示す携帯電話の概略斜視図
【図８】図７の携帯電話の内部構成を示すブロック図
【符号の説明】
【００７２】
１，１１，２１，３１  携帯電話
２，１２，１４，２２，２４，３２，３４  筐体
３，１３，２３，３３  表示部
４，１４，２５，３５  操作部
５，１７，２７Ａ，２７Ｂ，３７Ａ，３７Ｂ  入力部
６，１８，２８，３８  ＣＰＵ
７，１９，２９，３９  暗証コード記憶部
【図１】
2006140727.tif 000003
【図２】
2006140727.tif 000004
【図３】
2006140727.tif 000005
【図４】
2006140727.tif 000006
【図５】
2006140727.tif 000007
【図６】
2006140727.tif 000008
【図７】
2006140727.tif 000009
【図８】
2006140727.tif 000010